(57)【要約】【課題】  本発明では、光ファイバと光学フィルタとによって光伝搬損失が極めて小さい光フィルタモジュールを提供することを目的とする。【解決手段】  本発明に係る光フィルタモジュールは、第１光ファイバ１０と、第２光ファイバ１１と、光波長フィルタ１５と、第３光ファイバ１２と、を有する光フィルタモジュール１であり、第１光ファイバの光入出力端８２及び第２光ファイバ１１の入出力端８１は、側面のクラッド部１７ａ、１７ｂの一部が除去され、端面の一部が、光波長フィルタの表面に当接し、第３光ファイバの光入出力端８３の端面の一部は、光波長フィルタの表面に当接していることを特徴とする。【選択図】  図１
2006018036.tif 000002
【特許請求の範囲】
【請求項１】
光入出力端を介して他の光ファイバと光を入出力する第１光ファイバと、
コアの中心線が前記第１光ファイバのコアの中心線と交差するように配置された第２光ファイバと、
前記第１光ファイバの前記光入出力端から出射した光のうち所定の波長の光を反射して前記第２光ファイバの前記光入出力端に結合させる位置に配置された光波長フィルタと、
前記第１光ファイバの前記光入出力端から出射した光のうち前記光波長フィルタを透過する波長の光を光入出力端に結合させる位置に配置された第３光ファイバと、
を有する光フィルタモジュールであって、
前記第１光ファイバの前記光入出力端及び前記第２光ファイバの前記光入出力端は、側面のクラッド部の一部が除去され、端面の一部が、前記光波長フィルタの表面に当接し、前記第３光ファイバの前記光入出力端の端面の一部は、前記光波長フィルタの表面に当接していることを特徴とする光フィルタモジュール。
【請求項２】
光入出力端を介して他の光ファイバと光を入出力する第１光ファイバと、
コアの中心線が前記第１光ファイバのコアの中心線と交差するように配置された第２光ファイバと、
前記第１光ファイバの前記光入出力端から出射した光のうち所定の光量の光を反射して前記第２光ファイバの前記光入出力端に結合させる位置に配置されたビームスプリッターと、
前記第１光ファイバの前記光入出力端から出射した光のうち前記ビームスプリッターを透過する光を光入出力端に結合させる位置に配置された第３光ファイバと、
を有する光フィルタモジュールであって、
前記第１光ファイバの前記光入出力端及び前記第２光ファイバの前記光入出力端は、側面のクラッド部の一部が除去され、端面の一部が、前記ビームスプリッターの表面に当接し、前記第３光ファイバの前記光入出力端の端面の一部は、前記ビームスプリッターの表面に当接していることを特徴とする光フィルタモジュール。
【請求項３】
光入出力端を介して他の光ファイバと光を入出力する第１光ファイバと、
コアの中心線が前記第１光ファイバのコアの中心線と交差するように配置された第２光ファイバと、
前記第１光ファイバの前記光入出力端から出射した光のうち所定の波長の光を反射して前記第２光ファイバの前記光入出力端に結合させる位置に配置された光波長フィルタと、
前記第１光ファイバの前記光入出力端から出射した光のうち前記光波長フィルタを透過する波長の光を光入出力端に結合させる位置に配置された第３光ファイバと、
前記第２光ファイバの前記光入出力端から出射した光のうち前記光波長フィルタを透過する波長の光と結合し且つ前記第３光ファイバの前記光入出力端から出射した光のうち前記光波長フィルタで反射する波長の光を光入出力端に結合させる位置に配置された第４光ファイバと、
を有する光フィルタモジュールであって、
前記第１光ファイバの前記光入出力端及び前記第２光ファイバの前記光入出力端は、側面のクラッド部の一部が除去され、端面の一部が、前記光波長フィルタの表面に当接し、前記第３光ファイバの前記光入出力端及び前記第４光ファイバの前記光入出力端は、側面のクラッド部の一部が除去され、端面の一部が、前記光波長フィルタの表面に当接していることを特徴とする光フィルタモジュール。
【請求項４】
光入出力端を介して他の光ファイバと光を入出力する第１光ファイバと、
コアの中心線が前記第１光ファイバのコアの中心線と交差するように配置された第２光ファイバと、
前記第１光ファイバの前記光入出力端から出射した光のうち所定の光量の光を反射して前記第２光ファイバの前記光入出力端に結合させる位置に配置されたビームスプリッターと、
前記第１光ファイバの前記光入出力端から出射した光のうち前記ビームスプリッターを透過する光を光入出力端に結合させる位置に配置された第３光ファイバと、
前記第２光ファイバの前記光入出力端から出射した光のうち前記ビームスプリッターを透過する光と結合し且つ前記第３光ファイバの前記光入出力端から出射した光のうち前記ビームスプリッターで反射する光を光入出力端に結合させる位置に配置された第４光ファイバと、
を有する光フィルタモジュールであって、
前記第１光ファイバの前記光入出力端及び前記第２光ファイバの前記光入出力端は、側面のクラッド部の一部が除去され、端面の一部が、前記ビームスプリッターの表面に当接し、前記第３光ファイバの前記光入出力端及び前記第４光ファイバの前記光入出力端は、側面のクラッド部の一部が除去され、端面の一部が、前記ビームスプリッターの表面に当接していることを特徴とする光フィルタモジュール。
【発明の詳細な説明】
【技術分野】
【０００１】
本発明は、光ファイバを伝搬する光を光学フィルタにより分岐し又は結合する光フィルタモジュールに関する。
【背景技術】
【０００２】
光通信システムにおいて光信号の分岐・結合を行う光部品の１つに光フィルタモジュールがある。この光フィルタモジュールにおいて、異なる波長の光を異なるポートから入射して同一ポートから出射させたり、複数の波長の光を特定ポートから入射して異なるポートからそれぞれ出射させたりするモジュールがＷＤＭ（Ｗａｖｅｌｅｎｇｔｈ  Ｄｉｖｉｓｉｏｎ  Ｍｕｌｔｉｐｌｅｘｉｎｇ：波長分割多重方式）フィルタである。
【０００３】
このＷＤＭフィルタモジュールの公知技術の例としてバルク型ＷＤＭ光フィルタモジュールの構造がある。
【０００４】
ここで、図９に、従来のバルク型ＷＤＭ光フィルタモジュールの概略構成図を示す。図９に示すバルク型ＷＤＭ光フィルタモジュール３００は、光ファイバ２００からの光信号（λ１＋λ２の波長）を第１のコリーメントするレンズ２０４を透過後、波長λ１の光を反射する光フィルタ２０３でλ１の光信号は反射され、再び第１のコリーメントするレンズ２０４を透過して光ファイバ２０１から出力される。光フィルタ２０３を透過したλ２の光信号は、第２のコリーメントするレンズ２０５を透過して光ファイバ２０２から出力される。このようにして、λ１＋λ２の光信号をλ１の光信号とλ２の光信号に分岐する。また、逆に光ファイバ２０１及び光ファイバ２０２から所定の波長の光信号を入力すると、光ファイバ２００から波長が結合した光信号が出力される。
【０００５】
また、一方で光ファイバと光波長フィルタとで構成され、光ファイバの先端に直接波長フィルタを設置して入射光を分岐・結合する光分波結合部品もある（例えば、特許文献１参照。）。
【特許文献１】特開平１０−２６８１５８号公報
【発明の開示】
【発明が解決しようとする課題】
【０００６】
しかし、上記のような光分岐・結合器は、光ファイバと光学フィルタとの光接続部に空間を生じるため光伝搬損失が大きい。この光伝搬損失を補うためには、特許文献１に記載されている発明のように、別途集光部品を用いる必要がある。そのため、光フィルタモジュールを構成する光学部品の部品点数が多くなってしまう。
【０００７】
そこで、本発明では、光ファイバと光学フィルタを主要構成要素として、光伝搬損失が極めて小さい光フィルタモジュールを提供することを目的とする。
【課題を解決するための手段】
【０００８】
上記課題を解決するために、本願の発明では、光ファイバと光学フィルタとの光接続部の隙間を小さくすることとした。
【０００９】
即ち、本願の光フィルタモジュールは、光入出力端を介して他の光ファイバと光を入出力する第１光ファイバと、コアの中心線が前記第１光ファイバのコアの中心線と交差するように配置された第２光ファイバと、前記第１光ファイバの前記光入出力端から出射した光のうち所定の波長の光を反射して前記第２光ファイバの前記光入出力端に結合させる位置に配置された光波長フィルタと、前記第１光ファイバの前記光入出力端から出射した光のうち前記光波長フィルタを透過する波長の光を光入出力端に結合させる位置に配置された第３光ファイバと、を有する光フィルタモジュールであって、前記第１光ファイバの前記光入出力端及び前記第２光ファイバの前記光入出力端は、側面のクラッド部の一部が除去され、端面の一部が、前記光波長フィルタの表面に当接し、前記第３光ファイバの前記光入出力端の端面の一部は、前記光波長フィルタの表面に当接していることを特徴とする。
【００１０】
また、本願の光フィルタモジュールは、光入出力端を介して他の光ファイバと光を入出力する第１光ファイバと、コアの中心線が前記第１光ファイバのコアの中心線と交差するように配置された第２光ファイバと、前記第１光ファイバの前記光入出力端から出射した光のうち所定の光量の光を反射して前記第２光ファイバの前記光入出力端に結合させる位置に配置されたビームスプリッターと、前記第１光ファイバの前記光入出力端から出射した光のうち前記ビームスプリッターを透過する光を光入出力端に結合させる位置に配置された第３光ファイバと、を有する光フィルタモジュールであって、前記第１光ファイバの前記光入出力端及び前記第２光ファイバの前記光入出力端は、側面のクラッド部の一部が除去され、端面の一部が、前記ビームスプリッターの表面に当接し、前記第３光ファイバの前記光入出力端の端面の一部は、前記ビームスプリッターの表面に当接していることを特徴とする。
【００１１】
また、本願の光フィルタモジュールは、光入出力端を介して他の光ファイバと光を入出力する第１光ファイバと、コアの中心線が前記第１光ファイバのコアの中心線と交差するように配置された第２光ファイバと、前記第１光ファイバの前記光入出力端から出射した光のうち所定の波長の光を反射して前記第２光ファイバの前記光入出力端に結合させる位置に配置された光波長フィルタと、前記第１光ファイバの前記光入出力端から出射した光のうち前記光波長フィルタを透過する波長の光を光入出力端に結合させる位置に配置された第３光ファイバと、前記第２光ファイバの前記光入出力端から出射した光のうち前記光波長フィルタを透過する波長の光と結合し且つ前記第３光ファイバの前記光入出力端から出射した光のうち前記光波長フィルタで反射する波長の光を光入出力端に結合させる位置に配置された第４光ファイバと、を有する光フィルタモジュールであって、前記第１光ファイバの前記光入出力端及び前記第２光ファイバの前記光入出力端は、側面のクラッド部の一部が除去され、端面の一部が、前記光波長フィルタの表面に当接し、前記第３光ファイバの前記光入出力端及び前記第４光ファイバの前記光入出力端は、側面のクラッド部の一部が除去され、端面の一部が、前記光波長フィルタの表面に当接していることを特徴とする。
【００１２】
また、本願の光フィルタモジュールは、光入出力端を介して他の光ファイバと光を入出力する第１光ファイバと、コアの中心線が前記第１光ファイバのコアの中心線と交差するように配置された第２光ファイバと、前記第１光ファイバの前記光入出力端から出射した光のうち所定の光量の光を反射して前記第２光ファイバの前記光入出力端に結合させる位置に配置されたビームスプリッターと、前記第１光ファイバの前記光入出力端から出射した光のうち前記ビームスプリッターを透過する光を光入出力端に結合させる位置に配置された第３光ファイバと、前記第２光ファイバの前記光入出力端から出射した光のうち前記ビームスプリッターを透過する光と結合し且つ前記第３光ファイバの前記光入出力端から出射した光のうち前記ビームスプリッターで反射する光を光入出力端に結合させる位置に配置された第４光ファイバと、を有する光フィルタモジュールであって、前記第１光ファイバの前記光入出力端及び前記第２光ファイバの前記光入出力端は、側面のクラッド部の一部が除去され、端面の一部が、前記ビームスプリッターの表面に当接し、前記第３光ファイバの前記光入出力端及び前記第４光ファイバの前記光入出力端は、側面のクラッド部の一部が除去され、端面の一部が、前記ビームスプリッターの表面に当接していることを特徴とする。
【発明の効果】
【００１３】
本発明の光フィルタモジュールでは、光フィルタモジュールが光ファイバと光学フィルタとを近接して配置するために、光結合損失を極めて小さくすることができる。その結果、本発明の光フィルタモジュールでは、光フィルタモジュール内を伝搬する光の光伝搬損失を少なくすることができる。また、本発明の光フィルタモジュールでは、光フィルタモジュールが光ファイバと光学フィルタを主要構成要素として、これらを近接して配置するために、部品点数も少なく光フィルタモジュール自体をコンパクトなものとすることもできる。
【発明を実施するための最良の形態】
【００１４】
以下、具体的に実施形態を示して本願発明を詳細に説明するが、本願の発明は以下の記載に限定して解釈されない。
【００１５】
（第１実施形態）
図１に、本実施形態に係る光フィルタモジュールの概略構成図を示す。図１（ａ）は、正面図、図１（ｂ）は、Ａ−Ａ´による切断面、図１（ｃ）は、Ｂ−Ｂ´による切断面を示す。図１（ａ）に示す光フィルタモジュール１は、光入出力端８２を介して他の光ファイバと光を入出力する第１光ファイバ１０と、コアの中心線７２が第１光ファイバ１０のコアの中心線７１と交差するように配置された第２光ファイバ１１と、第１光ファイバ１０の光入出力端８２から出射した光のうち所定の波長の光を反射して第２光ファイバ１１の光入出力端８１に結合させる位置に配置された光波長フィルタ１５と、第１光ファイバ１０の光入出力端８２から出射した光のうち光波長フィルタ１５を透過する波長の光を光入出力端８３に結合させる位置に配置された第３光ファイバ１２と、を有する。ここで、コアの中心線とは、光ファイバのコアの中心を通る直線であるが、光ファイバについては後に説明する。また、本実施形態では、第１光ファイバ１０、第２光ファイバ１１、第３光ファイバ１２は、図１（ｂ）に示す支持基板１６に設けた光ファイバガイド溝１９に沿って配置して固定され、光波長フィルタ１５は、図１（ｃ）に示す支持基板１６に設けた光フィルタ挿入溝８０に沿って配置して固定されている。
【００１６】
ここで、光波長フィルタ１５は、光を波長によって選択的に反射・透過するフィルタ膜１３を少なくとも有している。また、このフィルタ膜１３は、フィルタ板１４の表面又は内部に形成されている。例えば、フィルタ板１４としてのガラス基板に、フィルタ膜１３としての誘電体多層膜や金属酸化物の薄膜を蒸着した光波長フィルタが光波長フィルタ１５として例示できる。このように、フィルタ膜１３をフィルタ板１４表面に形成した場合には、フィルタ膜１３表面が光波長フィルタ１５の表面となる。なお、図１（ａ）に示す形態では、フィルタ膜１３が第１光ファイバ１０、第２光ファイバ１１と向かい合うフィルタ板１４表面に形成されているが、当然に第３光ファイバ１２と向かい合うフィルタ板１４表面に形成されている場合やフィルタ膜１３がフィルタ板１４の内部に形成されている場合の光波長フィルタも光フィルタモジュール１に適用可能である。フィルタ膜１３がフィルタ板１４の内部に形成されている光波長フィルタとして、例えば、フィルタ膜１３としての誘電体多層膜や金属酸化物の薄膜を２枚のフィルタ板１４としてのガラス基板で挟み込んだ光波長フィルタが例示できる。このように、フィルタ膜１３がフィルタ板１４の内部に形成された場合や、光ファイバにフィルタ板１４が直接向かい合う場合は、フィルタ板１４表面が光波長フィルタ１５の表面となる。
【００１７】
第１光ファイバ１０、第２光ファイバ１１、第３光ファイバ１２は、光を通す通信ケーブルである。それぞれの光ファイバは、図１（ｂ）に示すように屈折率が高いコア１８ａと、コア１８ａを取り囲んでいるコア１８ａより屈折率の低いクラッド部１７ａと、を有する。また、第１光ファイバ１０、第２光ファイバ１１、第３光ファイバ１２となる材料の屈折率は、光波長フィルタ１５との光の接続の関係から、光波長フィルタ１５となる材料の屈折率と略同じ値となることが望ましい。そのため、第１光ファイバ１０、第２光ファイバ１１、第３光ファイバ１２と光波長フィルタ１５との素材をあわせるとよい。例えば、第１光ファイバ１０、第２光ファイバ１１、第３光ファイバ１２としてプラスチックファイバを適用した場合には、光波長フィルタ１５として、フィルタ板１４がプラスチックにより形成された光波長フィルタを適用する。
【００１８】
この第２光ファイバ１１の光入出力端８１は、図１（ａ）に示すように、側面のクラッド部１７ａの一部が除去され、端面８４ａの一部が、光波長フィルタ１５の表面に当接する。また、第１光ファイバ１０の光入出力端８２についても側面のクラッド部１７ｂの一部が除去され、端面８５ａの一部が、光波長フィルタ１５の表面に当接する。また、第３光ファイバ１２の光入出力端８３の端面の一部は、光波長フィルタ１５の表面に当接している。
【００１９】
このように、第１光ファイバ１０の光入出力端８２について側面のクラッド部１７ｂの一部が除去され、端面８５ａの一部が光波長フィルタ１５の表面に当接し、且つ第２光ファイバ１１の光入出力端８１について側面のクラッド部１７ａの一部が除去され、端面８４ａの一部が光波長フィルタ１５の表面に当接することで、第１光ファイバ１０の光入出力端８２と第２光ファイバ１１の光入出力端８１との間でコア同士が近接し、第１光ファイバ１０の光入出力端８２から出射した光がフィルタ膜１３面上で反射して第２光ファイバ１１の光入出力端８１に入射するまでの光路長を短くすることができる。そのため、例えばビームの広がりによる光結合損失を極めて少なくすることができる。またフィルタ膜１３がフィルタ板１４の内部に形成されている場合は、例えばフィルタ板１４としてのガラス基板による光の吸収等の光伝搬損失を極めて少なくすることもできる。
【００２０】
また、第３光ファイバ１２の光入出力端８３の端面の一部がフィルタ板１４表面に当接することで、第１光ファイバ１０の光入出力端８２から出射した光がフィルタ膜１３を透過して第３光ファイバ１２の光入出力端８３に入射するまでの光路長を最小とすることができるため、例えばビームの広がりによる光結合損失を極めて少なくすることができる。また例えばフィルタ板１４としてのガラス基板による光の吸収等の光伝搬損失を極めて少なくすることもできる。
【００２１】
また、光フィルタモジュール１は、３本の光ファイバと、１つの光波長フィルタとを主要構成要素としているために、部品点数が少なく光フィルタモジュール全体の大きさをコンパクトとすることができる。
【００２２】
図１（ａ）に示すように、第１光ファイバ１０の光入出力端８２の端面８５ａの一部を及び第２光ファイバ１１の光入出力端８１の端面８４ａの一部を光波長フィルタ１５の表面に当接させるためには、例えば、図１（ａ）に示すように、第２光ファイバ１１の光入出力端８１に、コア１８ａの端面を残して左右に傾斜した傾斜端面８４ａ、傾斜端面８４ｂを形成することでよい。このとき、第１光ファイバ１０の光入出力端８２、第２光ファイバ１１の光入出力端８１とフィルタ膜１３までの距離を短くするために、第２光ファイバ１１について傾斜端面８４ｂを形成する。また、光波長フィルタ１５の表面と第２光ファイバ１１とが重なる部分をなくすために傾斜端面８４ａを形成する。この傾斜角度は、コアの中心線７１とコアの中心線７２とが交差する交点の位置によって適宜調整する。また、第１光ファイバ１０の光入出力端８２についても第２光ファイバ１１の光入出力端８１と同様に傾斜端面８５ａ、傾斜端面８５ｂを形成する。
【００２３】
例えば、図２に、フィルタ膜１３が、フィルタ板１４の内部に形成されている場合の光フィルタモジュールの概略構成図を示す。図２は、図１に示す光フィルタモジュール１の他の形態を示した図である。図２に示す光フィルタモジュール３では、フィルタ板１４の内部に形成されたフィルタ膜１３表面上で第１光ファイバ３０のコアの中心線７１と第２光ファイバ３１のコアの中心線７２とが交差する形態である。このように、第１光ファイバ３０のコアの中心線７１と第２光ファイバ３１のコアの中心線７２とをフィルタ膜１３表面上で交差させるために、第２光ファイバ３１について傾斜端面８８ａ、傾斜端面８８ｂの傾斜角度を適宜調節する。このようにして第１光ファイバ３０の光入出力端８７の端面のコア中心と第２光ファイバ３１の光入出力端８６の端面のコア中心との距離を図１に示す光フィルタモジュール１の場合よりも離す。また、第１光ファイバ３０の光入出力端８７についても第２光ファイバ３１の光入出力端８６と同様に傾斜端面８９ａ、傾斜端面８９ｂを形成する。
【００２４】
また、図１（ａ）に示す第１光ファイバ１０の光入出力端８２の端面８５ａの一部及び第２光ファイバ１１の光入出力端８１の端面８４ａの一部を光波長フィルタ１５の表面に当接させるために、第１光ファイバ１０、第２光ファイバ１１のコア端面を光波長フィルタ１５のフィルタ板１４表面に当接させてもよい。
【００２５】
図３に、光ファイバの光入出力端が光波長フィルタに当接する他の形態を示す。図３に示すように、第２光ファイバ２１のコア２８ａ及び第１光ファイバ２０のコア２８ｂ同士を傾斜端面９０ｂ、傾斜端面９１ｂによって当接させるように、且つコア２８ａの一部と光波長フィルタ１５の表面及びコア２８ｂの一部と光波長フィルタ１５の表面を傾斜端面９０ａ、傾斜端面９１ａによって当接させるように、第１光ファイバ２０、第２光ファイバ２１の光入出力端を形成することとしてもよい。このように第１光ファイバ２０、第２光ファイバ２１の光入出力端を形成することで、第１光ファイバ２０と第２光ファイバ２１との間で入出力される光が空間を通ることなく入出力されるため、光伝搬損失をさらに少なくすることができる。
【００２６】
ここで、図１（ａ）に示す光フィルタモジュール１における光信号の流れについて説明する。図４は、光フィルタモジュール１内を伝搬する光信号の流れを示した概略図である。なお、図４において光信号の流れを示す矢印は、記載の容易さから、本来の光線軌跡を示すものではなく、模式的に示したものである。
【００２７】
図４に示すように、第１光ファイバ１０の光入出力端８２から出射される光は、所定の波長の光がフィルタ膜１３表面上で反射して第２光ファイバ１１の光入出力端８１に入射される（矢印１４２）。一方、フィルタ膜１３を透過した光は、第３光ファイバ１２の光入出力端８３に入射される（矢印１４１）。
【００２８】
また、第２光ファイバ１１の光入出力端８１から出射された光は、所定の波長の光がフィルタ膜１３面上で反射して第１光ファイバ１０の光入出力端８２に入射される（矢印１４０）。また、第３光ファイバ１２の光入出力端８３から出射される光は、所定の波長の光がフィルタ膜１３を透過して第１光ファイバ１０の光入出力端８２に入射される（矢印１４３）。
【００２９】
このように、光フィルタモジュール１では、４通りの光の伝搬の仕方があり、同方向２波長多重及び双方向２波長多重の光分岐・結合器として適用することができる。また、図１（ａ）に示す光フィルタモジュール１を１つの単位として多段に接続することもできる。例えば、第１の光フィルタモジュール１の第３光ファイバ１２を第２の光フィルタモジュール１の第１光ファイバ１０として縦続接続して多段とすることができる。光フィルタモジュール１を１つの単位として多段に接続することで、光分岐・結合のバリエーションを増やすことができる。
【００３０】
（第２実施形態）
図５に、本実施形態に係る光フィルタモジュールの概略構成図を示す。図５に示す光フィルタモジュール４は、光入出力端９４を介して他の光ファイバと光を入出力する第１光ファイバ４０と、コアの中心線７５が第１光ファイバ４０のコアの中心線７４と交差するように配置された第２光ファイバ４１と、第１光ファイバ４０の光入出力端９４から出射した光のうち所定の波長の光を反射して第２光ファイバ４１の光入出力端９３に結合させる位置に配置された光波長フィルタ４５と、第１光ファイバ４０の光入出力端９４から出射した光のうち光波長フィルタ４５を透過する波長の光を光入出力端９５に結合させる位置に配置された第３光ファイバ４２と、第２光ファイバ４１の光入出力端９３から出射した光のうち光波長フィルタ４５を透過する波長の光と結合し且つ第３光ファイバ４２の光入出力端９５から出射した光のうち光波長フィルタ４５で反射する波長の光を光入出力端９６に結合させる位置に配置された第４光ファイバ４３と、を有する。
【００３１】
ここで、光波長フィルタ４５は、第１実施形態で説明したものと同様であるため、説明は省略する。また、第１光ファイバ４０、第２光ファイバ４１、第３光ファイバ４２、第４光ファイバ４３のコア、クラッド部等の材料に関する性質は、第１実施形態で説明した光ファイバと同様であるため、説明は省略する。
【００３２】
本実施形態に係る光フィルタモジュール４では、第１光ファイバ４０の光入出力端９４及び第２光ファイバ４１の光入出力端９３は、側面のクラッド部の一部が除去され、端面の一部が、光波長フィルタ４５の表面に当接し、第３光ファイバ４２の光入出力端９５及び第４光ファイバ４３の光入出力端９６は、側面のクラッド部の一部が除去され、端面の一部が、光波長フィルタ４５の表面に当接している。
【００３３】
このように、第１光ファイバ４０の光入出力端９４について側面のクラッド部１７ｄの一部が除去され、端面９８ｂの一部が光波長フィルタ４５の表面に当接し、且つ第２光ファイバ４１の光入出力端９３について側面のクラッド部１７ｃの一部が除去され、端面９７ａの一部が光波長フィルタ４５の表面に当接することで、第１光ファイバ４０の光入出力端９４と第２光ファイバ４１の光入出力端９３との間でコア同士が近接し、第１光ファイバ４０の光入出力端９４から出射した光がフィルタ膜４７面上で反射して第２光ファイバ４１の光入出力端９３に入射するまでの光路長を短くすることができる。そのため、例えばビームの広がりによる光結合損失を極めて少なくすることができる。また、フィルタ膜４７がフィルタ板４４の内部に形成されている場合は、例えばフィルタ板４４としてのガラス基板による光の吸収等の光伝搬損失を極めて少なくすることもできる。
【００３４】
また、第３光ファイバ４２の光入出力端９５について側面のクラッド部１７ｅの一部が除去され、端面９９ａの一部が光波長フィルタ４５の表面に当接し、且つ第４光ファイバ４３の光入出力端９６について側面のクラッド部１７ｆの一部が除去され、端面１００ｂの一部が光波長フィルタ４５の表面に当接することで、第３光ファイバ４２の光入出力端９５と第４光ファイバ４３の光入出力端９６との間でコア同士が近接し、第３光ファイバ４２の光入出力端９５から出射した光がフィルタ膜４７面上で反射して第４光ファイバ４３の光入出力端９６に入射するまでの光路長を短くすることができる。そのため、例えばビームの広がりによる光結合損失を極めて少なくすることができる。また、フィルタ膜４７がフィルタ板４４の内部に形成されている場合は、例えばフィルタ板４４としてのガラス基板による光の吸収等の光伝搬損失を極めて少なくすることもできる。
【００３５】
また、光フィルタモジュール４は、４本の光ファイバと、１つの光波長フィルタとを主要構成要素としているために、部品点数が少なく光フィルタモジュール全体の大きさをコンパクトとすることができる。
【００３６】
ここで、図５に示す光フィルタモジュール４における光信号の流れについて説明する。図６は、光フィルタモジュール内を伝搬する光信号の流れを示した概略図である。なお、図６において光信号の流れを示す矢印は、記載の容易さから、本来の光線軌跡を示すものではなく、模式的に示したものである。
【００３７】
図６に示すように、第１光ファイバ４０の光入出力端９４から出射される光は、所定の波長の光がフィルタ膜４７表面上で反射して第２光ファイバ４１の光入出力端９３に入射される（矢印１４４）。一方、フィルタ膜４７を透過した所定の波長の光は、第３光ファイバ４２の光入出力端９５に入射される（矢印１４５）。
【００３８】
また、第２光ファイバ４１の光入出力端９３から出射された光は、所定の波長の光がフィルタ膜４７表面上で反射して第１光ファイバ４０の光入出力端９４に入射される（矢印１４６）。一方、フィルタ膜４７を透過した所定の波長の光は、第４光ファイバ４３の光入出力端９６に入射される（矢印１４７）。
【００３９】
また、第３光ファイバ４２の光入出力端９５から出射される光は、所定の波長の光がフィルタ膜４７面上で反射して第４光ファイバ４３の光入出力端９６に入射される（矢印１４８）。一方、フィルタ膜４７を透過した所定の波長の光は、第１光ファイバ４０の光入出力端９４に入射される（矢印１４９）。
【００４０】
また、第４光ファイバ４３の光入出力端９６から出射される光は、所定の波長の光がフィルタ膜４７面上で反射して第３光ファイバ４２の光入出力端９５に入射される（矢印１５０）。一方、フィルタ膜４７を透過した所定の波長の光は、第２光ファイバ４１の光入出力端９３に入射される（矢印１５１）。
【００４１】
このように、光フィルタモジュール４は、８通りの光の伝搬の仕方があり、波長多重Ａｄ−Ｄｒｏｐ  Ｍｕｌｔｉｐｌｅｘｅｒとして適用することができる。また、図５に示す光フィルタモジュール４を１つの単位として多段に接続することもできる。例えば、第１の光フィルタモジュール４の第３光ファイバ４２を第２の光フィルタモジュール４の第１光ファイバ４０として縦続接続して多段とすることができる。光フィルタモジュール４を１つの単位として多段に接続することで、光分岐・結合のバリエーションを増やすことができる。
【００４２】
ここで、本実施形態にかかる光フィルタモジュール４の製造方法の１例について図１、図５、図７、図８を参照して説明する。図７に、光ファイバの入出力端の端面を形成する方法を示した図を示す。
【００４３】
まず、光ファイバの入出力端の端面を形成するために、図７に示すように被覆５１を剥いだ光ファイバ本体５０をガイド溝５２に沿って配置し、台座５４に固定する。次に、ダイシングソーによって、光ファイバ本体５０のコアの中心線５３を通るように斜めに２方向６０、方向６１に台座５４ごと切断する。本実施形態では、図５に示す第１光ファイバ４０の傾斜端面９８ｂとフィルタ板４４表面及び第２光ファイバ４１の傾斜端面９７ａとフィルタ板４４表面とを当接させるため切断角度Ａを９０°とした。切断後、図７に示すように光ファイバ本体５０を台座５４から剥がして洗浄することで、光ファイバの入出力端の端面の形成は完成する。
【００４４】
ここで、台座５４は、例えばＳｉウェハ、ガラス基板等の基板を適用することができる。Ｓｉウェハやガラス基板は、ダイシングの際に歪み難いため、光ファイバの端面を精度良く切断することができる。台座５４に設けたガイド溝５２は、光ファイバからの光の入射角度に合わせてダイシング方向に対して予め斜めに形成しておくことが望ましい。ダイシング装置上での台座５４の位置決めをし易くすることができる。
【００４５】
また、光ファイバ本体５０をガイド溝５２に沿って配置して台座５４に固定する際には、例えばシフトワックスを適用することができる。シフトワックスは、アルコール系・芳香族系溶剤及び水溶性洗浄剤で洗浄ができる研磨用の接着ワックスである。この接着ワックスを光ファイバ本体５０から剥すには、例えば接着ワックスを６０℃に加熱することで剥がすことができる。
【００４６】
図７では、１本の光ファイバの端面を形成する方法を示したが、複数の光ファイバの端面を一度に形成することもできる。図８に、複数の光ファイバの端面を一度に形成する方法を示した概略図を示す。複数の光ファイバの端面を一度に形成するには、図８に示すように、台座５４に斜めに複数のガイド溝５２を設ける。そして、それぞれのガイド溝５２に沿って光ファイバ本体５０を１つずつ台座５４に固定する。その後、図７に示したのと同様に、ダイシングソーによって、光ファイバのコアの中心線５３に対して斜めに２方向６０、方向６１に台座５４ごと切断する。このようにすることで、複数の光ファイバの端面を一度に形成することができる。
【００４７】
次に、端面を形成した光ファイバを、図５に示した支持基板４６上に設けた光ファイバガイド溝５９に沿ってそれぞれ挿入する。また、光波長フィルタ４５を光フィルタ挿入溝８０に挿入する。光ファイバ及び光波長フィルタ４５の挿入後、光ファイバの端面同士及び光ファイバの端面とフィルタ板４４表面とを当接させる。そして光軸の調整を行った後、ＵＶ硬化性樹脂接着剤を光フィルタ挿入溝８０及び光ファイバガイド溝５９にそれぞれ流してＵＶ照射を行うことで、一度に光ファイバ及び光波長フィルタ４５を支持基板４６に固定して光フィルタモジュール４は完成する。
【００４８】
以上は、本実施形態に係る光フィルタモジュール４の製造方法の一例であるが、このように、光フィルタモジュール４を製造することで、光部品固定工程が１回で済むため、製造コストを大幅に削減することができる。
【００４９】
なお、図１（ａ）に示す光フィルタモジュール１を製造する場合も、図５に示す光フィルタモジュール４を製造する場合と同様にして光ファイバの端面を形成した後、光ファイバと光波長フィルタ１５とを支持基板１６に固定することで製造することができる。
【００５０】
（第３実施形態）
本実施形態に係る光フィルタモジュールは、第１実施形態で示した光フィルタモジュール（図１）において、光波長フィルタをビームスプリッター１５に変更した形態である。即ち、本実施形態に係る光フィルタモジュール１は、光入出力端８２を介して他の光ファイバと光を入出力する第１光ファイバ１０と、コアの中心線７２が第１光ファイバ１０のコアの中心線７１と交差するように配置された第２光ファイバ１１と、第１光ファイバ１０の光入出力端８２から出射した光のうち所定の光量の光を反射して第２光ファイバ１１の光入出力端８１に結合させる位置に配置されたビームスプリッター１５と、第１光ファイバ１０の光入出力端８２から出射した光のうちビームスプリッター１５を透過する光を光入出力端８３に結合させる位置に配置された第３光ファイバ１２と、を有する。
【００５１】
ここで、第１光ファイバ１０、第２光ファイバ１１、第３光ファイバ１２は第１実施形態で説明したものと同様であるため説明は省略し、ビームスプリッター１５について説明する。
【００５２】
ビームスプリッター１５は、１つの光を２つ以上に分割するための光学部品である。例えば、フィルタ板１４としての平行平面光学ガラスの表面に、フィルタ膜１３としての半透過ミラーコーティングを形成したビームスプリッターやフィルタ板１４としての２つの直角プリズムの斜面に、フィルタ膜１３としての半透過ミラーコーティングを形成し、斜面同士を張り合わせたビームスプリッターや、フィルタ板１４としての極薄のニトロセルロース等の薄膜に、フィルタ膜１３としての半透過ミラーコーティングを形成したビームスプリッターがビームスプリッター１５として例示できる。
【００５３】
フィルタ膜１３は、反射率、適応波長範囲、変更特性を考慮して金属薄膜、誘電体多層膜又はこれらを適宜組み合わせたものを適用することができる。光の分岐比は、例えば、５０／５０、３０／７０、７０／３０等自在に可変である。
【００５４】
なお、フィルタ膜１３をフィルタ板１４表面に形成した場合には、フィルタ膜１３表面がビームスプリッター１５の表面となる。また、フィルタ膜１３をフィルタ板１４の内部に形成した場合は、フィルタ板１４表面がビームスプリッター１５の表面となる。
【００５５】
本実施形態に係る光フィルタモジュール１では、第２光ファイバ１１の光入出力端８１は、図１（ａ）に示すように、側面のクラッド部１７ａの一部が除去され、端面８４ａの一部が、ビームスプリッター１５の表面に当接する。また、第１光ファイバ１０の光入出力端８２についても側面のクラッド部１７ｂの一部が除去され、端面８５ａの一部が、ビームスプリッター１５の表面に当接する。また、第３光ファイバ１２の光入出力端８３の端面の一部は、ビームスプリッター１５の表面に当接している。
【００５６】
このように、第１光ファイバ１０の光入出力端８２について側面のクラッド部１７ｂの一部が除去され、端面８５ａの一部がビームスプリッター１５の表面に当接し、且つ第２光ファイバ１１の光入出力端８１について側面のクラッド部１７ａの一部が除去され、端面８４ａの一部がビームスプリッター１５の表面に当接することで、第１光ファイバ１０の光入出力端８２と第２光ファイバ１１の光入出力端８１との間でコア同士が近接し、第１光ファイバ１０の光入出力端８２から出射した光がフィルタ膜１３面上で反射して第２光ファイバ１１の光入出力端８１に入射するまでの光路長を短くすることができる。そのため、例えばビームの広がりによる光結合損失を極めて少なくすることができる。またフィルタ膜１３がフィルタ板１４の内部に形成されている場合は、例えばフィルタ板１４としてのガラス基板による光の吸収等の光伝搬損失を極めて少なくすることもできる。
【００５７】
また、第３光ファイバ１２の光入出力端８３の端面の一部がフィルタ板１４表面に当接することで、第１光ファイバ１０の光入出力端８２から出射した光がフィルタ膜１３を透過して第３光ファイバ１２の光入出力端８３に入射するまでの光路長を最小とすることができるため、例えばビームの広がりによる光結合損失を極めて少なくすることができる。また例えばフィルタ板１４としてのガラス基板による光の吸収等の光伝搬損失を極めて少なくすることもできる。
【００５８】
また、光フィルタモジュール１は、３本の光ファイバと、１つのビームスプリッターとを主要構成要素としているために、部品点数が少なく光フィルタモジュール全体の大きさをコンパクトとすることができる。
【００５９】
ここで、図１（ａ）に示す光フィルタモジュール１における光信号の流れについて説明する。図４は、光フィルタモジュール１内を伝搬する光信号の流れを示した概略図である。なお、図４において光信号の流れを示す矢印は、記載の容易さから、本来の光線軌跡を示すものではなく、模式的に示したものである。
【００６０】
図４に示すように、第１光ファイバ１０の光入出力端８２から出射される光は、所定の光量の光がフィルタ膜１３表面上で反射して第２光ファイバ１１の光入出力端８１に入射される（矢印１４２）。一方、フィルタ膜１３を透過した光は、第３光ファイバ１２の光入出力端８３に入射される（矢印１４１）。
【００６１】
また、第２光ファイバ１１の光入出力端８１から出射された光は、所定の光量の光がフィルタ膜１３面上で反射して第１光ファイバ１０の光入出力端８２に入射される（矢印１４０）。また、第３光ファイバ１２の光入出力端８３から出射される光は、所定の光量の光がフィルタ膜１３を透過して第１光ファイバ１０の光入出力端８２に入射される（矢印１４３）。
【００６２】
このように、光フィルタモジュール１は、４通りの光の伝搬の仕方があり、双方向同一波長伝送、双方向同一波長時分割伝送用の光分岐・結合器として適用することができる。また、図１（ａ）に示す光フィルタモジュール１を１つの単位として多段に接続することもできる。例えば、第１の光フィルタモジュール１の第３光ファイバ１２を第２の光フィルタモジュール１の第１光ファイバ１０として縦続接続して多段とすることができる。光フィルタモジュール１を１つの単位として多段に接続することで、光分岐・結合のバリエーションを増やすことができる。
【００６３】
本実施形態に係る光フィルタモジュール１の製造方法は、第２実施形態で説明したものと同様である。つまり、第２実施形態で説明した光ファイバの端面を形成する方法により図１（ａ）に示す第１光ファイバ１０、第２光ファイバ１１の端面をそれぞれ形成する。第３光ファイバ１２の端面は、第２実施形態で説明した光ファイバの端面を形成する方法において、斜めに１方向のみダイシングすることによって形成することができる。そして、図１（ｂ）に示した支持基板１６上に設けた光ファイバガイド溝１９に沿って第１光ファイバ１０、第２光ファイバ１１、第３光ファイバ１２を挿入する。また、ビームスプリッター１５を光フィルタ挿入溝８０に挿入する。光ファイバ及びビームスプリッター１５の挿入後、光ファイバの端面同士及び光ファイバの端面とフィルタ板１４表面とを当接させる。そして光軸の調整を行った後、ＵＶ硬化性樹脂接着剤を光フィルタ挿入溝８０及び光ファイバガイド溝１９にそれぞれ流してＵＶ照射を行うことで、一度に光ファイバ及びビームスプリッター１５を支持基板１６に固定して光フィルタモジュール１は完成する。
【００６４】
（第４実施形態）
本実施形態に係る光フィルタモジュールは、第２実施形態で示した光フィルタモジュール（図５）において、光波長フィルタをビームスプリッター４５に変更した形態である。即ち、本実施形態に係る光フィルタモジュール４は、光入出力端９４を介して他の光ファイバと光を入出力する第１光ファイバ４０と、コアの中心線７５が第１光ファイバ４０のコアの中心線７４と交差するように配置された第２光ファイバ４１と、第１光ファイバ４０の光入出力端９４から出射した光のうち所定の光量の光を反射して第２光ファイバ４１の光入出力端９３に結合させる位置に配置されたビームスプリッター４５と、第１光ファイバ４０の光入出力端９４から出射した光のうちビームスプリッター４５を透過する光を光入出力端９５に結合させる位置に配置された第３光ファイバ４２と、第２光ファイバ４１の光入出力端９３から出射した光のうちビームスプリッター４５を透過する光と結合し且つ第３光ファイバ４２の光入出力端９５から出射した光のうちビームスプリッター４５で反射する光を光入出力端９６に結合させる位置に配置された第４光ファイバ４３と、を有する。
【００６５】
ここで、ビームスプリッター４５は、第１実施形態で説明したものと同様であるため、説明は省略する。また、第１光ファイバ４０、第２光ファイバ４１、第３光ファイバ４２、第４光ファイバ４３のコア、クラッド部等の材料に関する性質は、第１実施形態で説明した光ファイバと同様であるため、説明は省略する。
【００６６】
本実施形態に係る光フィルタモジュール４では、第１光ファイバ４０の光入出力端９４及び第２光ファイバ４１の光入出力端９３は、側面のクラッド部の一部が除去され、端面の一部が、ビームスプリッター４５の表面に当接し、第３光ファイバ４２の光入出力端９５及び第４光ファイバ４３の光入出力端９６は、側面のクラッド部の一部が除去され、端面の一部が、ビームスプリッター４５の表面に当接している。
【００６７】
このように、第１光ファイバ４０の光入出力端９４について側面のクラッド部１７ｄの一部が除去され、端面９８ｂの一部がビームスプリッター４５の表面に当接し、且つ第２光ファイバ４１の光入出力端９３について側面のクラッド部１７ｃの一部が除去され、端面９７ａの一部がビームスプリッター４５の表面に当接することで、第１光ファイバ４０の光入出力端９４と第２光ファイバ４１の光入出力端９３との間でコア同士が近接し、第１光ファイバ４０の光入出力端９４から出射した光がフィルタ膜４７面上で反射して第２光ファイバ４１の光入出力端９３に入射するまでの光路長を短くすることができる。そのため、例えばビームの広がりによる光結合損失を極めて少なくすることができる。また、フィルタ膜４７がフィルタ板４４の内部に形成されている場合は、例えばフィルタ板４４としてのガラス基板による光の吸収等の光伝搬損失を極めて少なくすることもできる。
【００６８】
また、第３光ファイバ４２の光入出力端９５について側面のクラッド部１７ｅの一部が除去され、端面９９ａの一部がビームスプリッター４５の表面に当接し、且つ第４光ファイバ４３の光入出力端９６について側面のクラッド部１７ｆの一部が除去され、端面１００ｂの一部がビームスプリッター４５の表面に当接することで、第３光ファイバ４２の光入出力端９５と第４光ファイバ４３の光入出力端９６との間でコア同士が近接し、第３光ファイバ４２の光入出力端９５から出射した光がフィルタ膜４７面上で反射して第４光ファイバ４３の光入出力端９６に入射するまでの光路長を短くすることができる。そのため、例えばビームの広がりによる光結合損失を極めて少なくすることができる。また、フィルタ膜４７がフィルタ板４４の内部に形成されている場合は、例えばフィルタ板４４としてのガラス基板による光の吸収等の光伝搬損失を極めて少なくすることもできる。
【００６９】
また、光フィルタモジュール４は、４本の光ファイバと、１つのビームスプリッターとを主要構成要素としているために、部品点数が少なく光フィルタモジュール全体の大きさをコンパクトとすることができる。
【００７０】
ここで、図５に示す光フィルタモジュール４における光信号の流れについて説明する。図６は、光フィルタモジュール内を伝搬する光信号の流れを示した概略図である。なお、図６において光信号の流れを示す矢印は、記載の容易さから、本来の光線軌跡を示すものではなく、模式的に示したものである。
【００７１】
図６に示すように、第１光ファイバ４０の光入出力端９４から出射される光は、所定の光量の光がフィルタ膜４７表面上で反射して第２光ファイバ４１の光入出力端９３に入射される（矢印１４４）。一方、フィルタ膜４７を透過した所定の光量の光は、第３光ファイバ４２の光入出力端９５に入射される（矢印１４５）。
【００７２】
また、第２光ファイバ４１の光入出力端９３から出射された光は、所定の光量の光がフィルタ膜４７表面上で反射して第１光ファイバ４０の光入出力端９４に入射される（矢印１４６）。一方、フィルタ膜４７を透過した所定の光量の光は、第４光ファイバ４３の光入出力端９６に入射される（矢印１４７）。
【００７３】
また、第３光ファイバ４２の光入出力端９５から出射される光は、所定の光量の光がフィルタ膜４７面上で反射して第４光ファイバ４３の光入出力端９６に入射される（矢印１４８）。一方、フィルタ膜４７を透過した所定の光量の光は、第１光ファイバ４０の光入出９４端に入射される（矢印１４９）。
【００７４】
また、第４光ファイバ４３の光入出力端９６から出射される光は、所定の光量の光がフィルタ膜４７面上で反射して第３光ファイバ４２の光入出力端９５に入射される（矢印１５０）。一方、フィルタ膜４７を透過した所定の光量の光は、第２光ファイバ４１の光入出力端９３に入射される（矢印１５１）。
【００７５】
このように、光フィルタモジュール４は、８通りの光の伝搬の仕方があり、同一波長Ａｄ−Ｄｒｏｐ Ｍｕｌｔｉｐｌｅｘｅｒとして適用することができる。また、図５に示す光フィルタモジュール４を１つの単位として多段に接続することもできる。例えば、第１の光フィルタモジュール４の第３光ファイバ４２を第２の光フィルタモジュール４の第１光ファイバ４０として縦続接続して多段とすることができる。光フィルタモジュール４を１つの単位として多段に接続することで、光分岐・結合のバリエーションを増やすことができる。
【００７６】
本実施形態に係る光フィルタモジュールの製造方法は、第２実施形態で説明したものと同様である。
【００７７】
（実施例）
図１０に、本実施例に係る光フィルタモジュールを示す。図１０（ａ）は、光フィルタモジュール５の正面図で、図１０（ｂ）は、Ａ−Ａ´による部分切断面、図１０（ｃ）は、図１０（ａ）のＢの部分拡大図である。図１０（ａ）に示す光フィルタモジュール５は、５．５（ｍｍ）×８（ｍｍ）の支持基板１１６に光ファイバガイド溝１１９を設け、第１光ファイバ１１０、第２光ファイバ１１１の交差角度を３０°とした。光ファイバガイド溝１１９は、図１０（ｂ）に示すように、頂角を６０°とし、深さ１６２．５μｍの正三角形状とした。また、第１光ファイバ１１０、第２光ファイバ１１１、第３光ファイバ１１２のクラッドの直径は、図１０（ｂ）に示すように１２５μｍである。また、図１０（ｃ）に示すように第１光ファイバ１１０の光入出力端１０２には、光フィルタ挿入溝１１７のうち第１光ファイバ１１０、第２光ファイバ１１１と向かい合う側で、第１光ファイバ１１０のコアの中心線と第２光ファイバ１１１のコアの中心線とが交差するように傾斜端面１０５ａ、傾斜端面１０５ｂを形成した。また、第２光ファイバ１１１の光入出力端１０１には、図１０（ｃ）に示すように光フィルタ挿入溝１１７のうち第１光ファイバ１１０、第２光ファイバ１１１と向かい合う側で、第１光ファイバ１１０のコアの中心線と第２光ファイバ１１１のコアの中心線とが交差するように傾斜端面１０４ａ、傾斜端面１０４ｂを形成した。また、第３光ファイバ１１２の光入出力端１０３の端面は、光フィルタ挿入溝１１７のうち第３光ファイバ１１２と向かい合う側で当接するように形成した。
【００７８】
本実施例では、図１０（ａ）に示す光フィルタモジュール５において、入射光１２４に対する反射光１２５及び透過光１２６の挿入損失をそれぞれ測定した。また、入射光１２４に対する反射光１２５及び透過光１２６の波長依存損失をそれぞれ測定した。図１１は、透過光の挿入損失を示したグラフである。また、図１２は、反射光の挿入損失を示したグラフである。図１１のグラフにおいて、横軸は、図１０（ａ）に示す入射光１２４の波長を示し、縦軸は、透過光１２６の挿入損失を示す。また、図１２のグラフにおいて、横軸は、図１０（ａ）に示す入射光１２４の波長を示し、縦軸は、反射光１２５の挿入損失を示す。
【００７９】
図１１から、図１０（ａ）に示す透過光１２６の挿入損失は、入射光１２４の波長が１４８０ｎｍ付近で急激に増加することがわかる。また、図１２から、図１０（ａ）に示す反射光１２５の挿入損失は、入射光１２４の波長が１４８０ｎｍ付近で急激に減少することがわかる。
【００８０】
また、表１に、図１０（ａ）に示す透過光１２６及び反射光１２５の挿入損失と、波長依存損失とを示す。
【表１】
2006018036.tif 000003
【００８１】
表１から、波長依存損失では、図１０（ａ）に示す透過光１２６及び反射光１２５共に、入射光１２４の波長が１５００ｎｍ付近で極大値を示すことがわかる。図１１、図１２及び表１に示す測定結果から、図１０（ａ）に示す光フィルタモジュール５では、入射光１２４を反射光１２５と透過光１２６とに分岐するための適用波長は、１５００ｎｍ近傍の値以外、例えば、１３１０ｎｍの波長の光と１５５０ｎｍの波長の光とで入射光を構成することが望ましいことがわかる。
【図面の簡単な説明】
【００８２】
【図１】実施形態に係る光フィルタモジュールの概略構成図である。（ａ）は正面図で、（ｂ）はＡ−Ａ´における切断面で、（ｃ）はＢ−Ｂ´における切断面である。
【図２】光フィルタモジュールの他の実施形態を示した図である。
【図３】光フィルタモジュールの他の実施形態を示した図である。
【図４】光フィルタモジュール内を伝搬する光信号の流れを示した概略図である。
【図５】実施形態に係る光フィルタモジュールの概略構成図である。
【図６】光フィルタモジュール内を伝搬する光信号の流れを示した概略図である。
【図７】光ファイバの入出力端の端面を形成する方法を示した図である。
【図８】複数の光ファイバの端面を一度に形成する方法を示した概略図である。
【図９】従来のバルク型ＷＤＭ光フィルタモジュールの構成を示した概略図である。
【図１０】実施例に係る光フィルタモジュールを示した図である。（ａ）は正面図で、（ｂ）はＡ−Ａ´における部分拡大切断面で、（ｃ）はＢにおける部分拡大図である。
【図１１】透過光の挿入損失を示したグラフである。
【図１２】反射光の挿入損失を示したグラフである。
【符号の説明】
【００８３】
１、２、３、４、５  光フィルタモジュール
１０、２０、３０、４０、１１０  第１光ファイバ
１１、２１、３１、４１、１１１  第２光ファイバ
１２、２２、３２、４２、１１２  第３光ファイバ
４３  第４光ファイバ
１３、４７  フィルタ膜
１４、４４  フィルタ板
１５、３５、４５  光波長フィルタ、ビームスプリッター
１６、２６、３６、４６、１１６  支持基板
１７ａ、１７ｂ、１７ｃ、１７ｄ、１７ｅ、１７ｆ  クラッド部
１８ａ、１８ｂ、２８ａ、２８ｂ  コア
１９、５９、１１９  光ファイバガイド溝
５０  光ファイバ本体
５１  被覆
５２  ガイド溝
５４  台座
６０、６１  方向
５３、７１、７２、７３、７４、７５、７６、７７  コアの中心線
８０、１１７  光フィルタ挿入溝
８１、８２、８３、８５、８６、８７、９３、９４、９５、９６、１０１、１０２、１０３  光入出力端
８４ａ、８４ｂ、８５ａ、８５ｂ、８８ａ、８８ｂ、８９ａ、８９ｂ、９０ａ、９０ｂ、９１ａ、９１ｂ、９７ａ、９７ｂ、９８ａ、９８ｂ、９９ａ、９９ｂ、１００ａ、１００ｂ、１０４ａ、１０４ｂ、１０５ａ、１０５ｂ  傾斜端面
１２４  入射光  １２５  反射光  １２６  透過光
１４０、１４１、１４２、１４３、１４４、１４５、１４６、１４７、１４８、１４９、１５０、１５１  矢印
２００  入力ファイバ   ２０１、２０２  出力ファイバ
２０３  光フィルタ
２０４  第１のコリーメントするレンズ  ２０５  第２のコリーメントするレンズ
【図１】
2006018036.tif 000004
【図２】
2006018036.tif 000005
【図３】
2006018036.tif 000006
【図４】
2006018036.tif 000007
【図５】
2006018036.tif 000008
【図６】
2006018036.tif 000009
【図７】
2006018036.tif 000010
【図８】
2006018036.tif 000011
【図９】
2006018036.tif 000012
【図１０】
2006018036.tif 000013
【図１１】
2006018036.tif 000014
【図１２】
2006018036.tif 000015